(57)【要約】      （修正有）【課題】ボルトやピンテール等の破断部分の落下防止を図ったボルト締め付け装置を提供する。【解決手段】インナーソケット２の開放端側に、落下防止手段７を組み付ける。この落下防止手段７は、インナーソケット２内の開放端にピンテール６を磁着すべく組み付けられたマグネット部材からなり、スライダー７ａを介してマグネット７ｂを摺動自在に抜け止めせしめる。破断されたピンテール６は、アウターソケット２内でスライダー７ａの追従によってマグネット７ｂに磁着される結果、従来の如き意に反して抜け落ちる心配がなく、頗る安全であり、作業効率も上がることになる。【選択図】 図３
0003144901.tif 000002
【実用新案登録請求の範囲】
【請求項１】
インナーソケット及び／又はアウターソケットにピンテール等の破断部分の落下を阻止する落下防止手段を設けてなるボルト締付装置において、
前記落下防止手段は、インナーソケット及び／又はアウターソケットに、ピンテール等の破断部分を磁着すべく組み付けられたマグネット部材であることを特徴とするボルト締付装置。
【請求項２】
前記マグネット部材は、インナーソケット及び／又はアウターソケット内にスライダーを介して摺動自在に抜け止めされていることを特徴とする請求項１に記載のボルト締付装置。
【考案の詳細な説明】
【技術分野】
【０００１】
本考案は、主としてトルシア形高力ボルトの締付に使用されるボルト締付装置に関し、更に詳しくは、ピンテールに対してナットを相対回転させノッチ部が切断されるまで行われることで所定の締付力を確保せしめるボルト締付装置の改良に関する。
【背景技術】
【０００２】
従来、斯かるボルト締付装置としては、例えば、アウターソケット内にインナーソケットを収納した締付部と、両ソケットを遊星歯車機構で回転させる動力伝達部とを有し、アウター及びインナー各ソケットにトルシア形高力ボルトのナットとピンテールをそれぞれ嵌合させて各ソケットを互いに相反方向に回転させてナットを締め付けるボルト締付装置において、上記アウターソケット又はインナーソケットは、反締付方向に付勢する弾性部材によって所定角度の遊びを介して動力伝達部に連結され、動力伝達部を遊び分無負荷回転させた後、上記ソケットに動力を伝達して締め付けを行っている（特許文献１参照）。
【特許文献１】特開２０００-１１７６５３号公報
【考案の開示】
【考案が解決しようとする課題】
【０００３】
しかしながら、上述した従来の締付装置にあっては、アウターソケットに螺合されるナットの締付反力をピンテールで受け、同ピンテールがノッチ部（破断溝；ブレークネック）で破断するまで締め付けられるため、作業中に、破断したピンテールが意に反して落下してしまうことが危惧されている。
【０００４】
特に、高層ビル等の作業現場で使用する場合は、落下したピンテールで通行人等に怪我を負わせてしまう事故も危惧されるため、細心の注意をはらわなければならないといった問題があり、手軽で効率良くピンテールの切断ができるのみならず、切断されたピンテールの落下防止を実現した締付工具が要望されている。
【０００５】
本考案はこのような従来の問題点及び要望に鑑みてなされたもので、ボルトやピンテール等の破断部分の落下防止を確実に実現した有用なボルト締付装置を提供することを目的としたものである。
【課題を解決するための手段】
【０００６】
上述の如き従来の問題点を解決し、所期の目的を達成するため本考案の要旨とする構成は、インナーソケット及び／又はアウターソケットにピンテール等の破断部分の落下を阻止する落下防止手段を設けてなるボルト締付装置において、前記落下防止手段は、インナーソケット及び／又はアウターソケットに、ピンテール等の破断部分を磁着すべく組み付けられたマグネット部材であるボルト締付装置に存する。
【０００７】
また、前記マグネット部材は、インナーソケット及び／又はアウターソケット内にスライダーを介して摺動自在に抜け止めされるのが良い。
【考案の効果】
【０００８】
このように構成される本考案のボルト締付装置は、前記落下防止手段が、インナーソケット及び／又はアウターソケットに、ピンテール等の破断部分を磁着すべく組み付けられたマグネット部材であることによって、前記破断部分がマグネット部材に磁着されるため、従来の如き意に反して落下してしまうといった危惧を解消できるといった効果を奏する。
【０００９】
また、前記マグネット部材が、インナーソケット及び／又はアウターソケット内にスライダーを介して摺動自在に抜け止めされることによって、破断部分の動きに応じて前記スライダーが追従すべく変位し同破断部分を磁着できるため、確実にして安易な抜け落ちを阻止することができるといった効果を奏する。
【００１０】
更に、本考案のボルト締付装置は、構成が単純であるため大量生産に適し、価格も低廉なものとして需要者に供給できる等、本考案を実施することはその実益的価値が甚だ大である。
【考案を実施するための最良の形態】
【００１１】
落下防止手段としては、インナーソケット及び／又はアウターソケットにピンテール等の破断部分を磁着すべく組み付けられたマグネット部材が良く、延いては、各ソケット内にスライダーを介してマグネット部材を摺動自在に組み付けるのが良い。
【実施例】
【００１２】
次に、本考案に係るボルト締付装置の実施の一例を図面を参照しながら説明する。図中Ａは、本考案に係るボルト締付装置であり、このボルト締付装置Ａは、図１に示すように、アウターソケット１内にインナーソケット２を収納した締付部３を備えている。
【００１３】
アウターソケット１は、例えば、金属等の適宜素材からなり、遊端開口１ａ内にトルシア形高力ボルト４(図５参照)のナット５が嵌合される。
【００１４】
インナーソケット２は、アウターソケット１に囲繞されており、遊端開口２ａ内に前記トルシア形高力ボルト４(図５参照)のピンテール６が嵌合される。
【００１５】
また、前記インナーソケット２の開放端側には、ピンテール等の落下防止手段７が組み付けられている。この落下防止手段７は、インナーソケット２内の開放端にピンテール６を磁着すべく組み付けられたマグネット部材からなり、スライダー７ａを介してマグネット７ｂが摺動自在に抜け止めされている。
【００１６】
因に、ボルト締付装置Ａは、各ソケット１，２を相反方向に回転させてナット５を締め付けると共に、ピンテール６に対してナット５を相対回転させる遊星歯車機構(図示せず)を備えている。
【００１７】
このように本考案のボルト締付装置では、アウターソケット１とインナーソケット２とからなる締付部３を締付装置Ａの取付部８に取付け、アウターソケット１にトルシア形高力ボルト４のナット５を嵌合し、インナーソケット２にピンテール６を嵌合させた状態で、第１レバー９を押圧すれば、各ソケット１，２は、互いに相反方向に回転させてナット５を締め付けると共に、ピンテール６に対してナット５を相対回転させノッチ部(破断溝)６ａが切断されるまで行われ、これにより所定の締付力を確保せしめている。
【００１８】
また、切断されたピンテール６は、ボルト締付装置Ａの第２レバー１０を引くことによりインナーソケット２内から外方に向かって押し出される仕組みになっているが、その際、同ピンテール６は、図３に示すように、スライダー７ａの追従によってマグネット７ｂに磁着される結果、従来の如き意に反して抜け落ちる心配がなく、頗る安全であり、作業効率も上がることになる。
【００１９】
尚、本考案のボルト締付装置は、本実施例に限定されることなく、本考案の目的の範囲内で自由に設計変更できるものであり、本考案はそれらの全てを包摂するものである。例えば、本実施例では、トルシア形高力ボルト用として説明しているが、これに限定されることなく、ボルト、ピンテール以外の被加工物にも応用できることは云うまでもない。
【図面の簡単な説明】
【００２０】
【図１】本考案に係るボルト締付装置の正面図である。
【図２】アウターソケットとインナーソケットの組立分解斜視図である。
【図３】本実施例で使用するインナーソケットの縦断面図である。
【図４】同インナーソケットの端面図である。
【図５】本実施例で使用するトルシア形高力ボルトの説明図である。
【図６】本実施例で使用するピンテールボルトである。
【符号の説明】
【００２１】
１  アウターソケット
１ａ  遊端開口
２  インナーソケット
２ａ  遊端開口
３  締付部
４  トルシア形高力ボルト
５  ナット
６  ピンテール
６ａ  ノッチ部
７  落下防止手段
７ａ  スライダー
７ｂ  マグネット
８  取付部
９  第１レバー
１０  第２レバー
【図１】
0003144901.tif 000003
【図２】
0003144901.tif 000004
【図３】
0003144901.tif 000005
【図４】
0003144901.tif 000006
【図５】
0003144901.tif 000007
【図６】
0003144901.tif 000008